(57)【特許請求の範囲】
【請求項１】
絶縁基板上に、略コの字の導体Ｄ１と、導体Ｄ１とほぼ同じ大きさで導体Ｄ１の長辺と平行な長辺を有すると共に逆向きの略コの字の導体Ｄ２を、間隔ｄで平行に配置し、導体Ｄ１の略コの字の開放端に対向する短絡端側と導体Ｄ２の開放端側で導体Ｄ１と導体Ｄ２を接続するとともに、それぞれの略コの字の開放端にコンデンサが設けられ、導体Ｄ１の長さをＬ１とし導体Ｄ１の開放端部から０．３Ｌ１〜０．７Ｌ１の範囲に励振点を設けたことを特徴とする小型アンテナ。
【請求項２】
前記導体Ｄ１と、導体Ｄ２と、これらを接続するパターンが、銅箔の不要な箇所をエッチング除去し形成されたことを特徴とする請求項１に記載の小型アンテナ。
【発明の詳細な説明】
【０００１】
【発明の属する技術分野】
本発明は、小型アンテナに関する。
【０００２】
【従来の技術】
トランシーバー等の携帯用の通信機器には、通常、ホイップアンテナやそのホイップアンテナにコイルを接続した短縮型のアンテナが使用されている。
また、近年では、移動電話機、警報装置、ガス監視装置、交通量のセンサ等に小型のアンテナを用いることが多くなっている。
このような例としては、例えば、論文「腕時計型携帯無線機用小型アンテナの検討」（１９９３年電子情報通信学会春季大会、Ｂ−１０１）にも記載されているように、長方形の導体にスリットを設け、略中心に、共振させるためのコンデンサを設け、そこから離れた箇所に励振点を設けているものが知られている。
その特性は、指向性が小さく、どの方向からの電波でも同程度に受信でき、あるいは放射できるものである。
【０００３】
【発明が解決しようとする課題】
このような小型のアンテナは、実際に使用する周波数の波長に比べかなり短いものが要求される。
そこで、コイルを直列に装荷して短縮することや、上記論文にも記載されているように、導体を短くしておいて共振させるためのコンデンサを用いているが、コイルを直列に装荷すると、コイルの直径分太くなり、小型化を行うことができず、共振のためにコンデンサを用いると、そのコンデンサを接続する位置によって位相が変化し、使用する周波数によっては最適な励振を行うことができない場合や、使用する周波数の帯域が減少し、通信の信頼性が低下することもある。
【０００４】
このような課題を解決するものとして、本発明者らは、図５（ａ）に示すように、一平面内に、長さが使用周波数の波長λの０．４倍以下である導体ｄ１と、その導体ｄ１に平行な地導体ｄ２とを有し、その両端部において、導体ｄ１と地導体ｄ２とをコンデンサｃ１及びｃ２によって接続し、導体ｄ１の略中央部に励振点を設けた小型アンテナを提案している。
【０００５】
すなわち、短縮アンテナを作製するにあたって、短縮したときの線路でも共振できるように、同一の値を持つコンデンサをアンテナの先端２箇所に設けたものである。
【０００６】
ところが、このアンテナは、線路によるインダクタンス分と、コンデンサのみによる構成のため、Ｑが高く、したがって、送受信できる周波数の帯域が極めて低いものである。
このようなアンテナを用いた場合には、例えば、異なる周波数を用いて、送受信を同時に行うような交信に用いることができず、また、テレビジョン受信機のように、広い帯域を必要とする受信機等に用いることもできないという課題がある。
また、比較的高い周波数を用いる通信機を大量生産するときに、同調回路を簡便にするために、アンテナに広帯域のものを用いることがあるが、このような使い方をすることもできないという課題もある。
【０００７】
本発明は、小型であり、簡便に広い帯域の得られるアンテナを提供することを目的とする。
【０００８】
【課題を解決するための手段】
本発明の小型アンテナは、絶縁基板上に、略コの字の導体Ｄ１と、導体Ｄ１とほぼ同じ大きさで導体Ｄ１の長辺と平行な長辺を有すると共に逆向きの略コの字の導体Ｄ２を、間隔ｄで平行に配置し、導体Ｄ１の略コの字の開放端に対向する短絡端側と導体Ｄ２の開放端側で導体Ｄ１と導体Ｄ２を接続するとともに、それぞれの略コの字の開放端にコンデンサが設けられ、導体Ｄ１の長さをＬ１とし導体Ｄ１の開放端部から０．３Ｌ１〜０．７Ｌ１の範囲に励振点を設けたことを特徴とする。
【０００９】
【発明の実施の形態】
このアンテナの励振点は、導体Ｄ１及び導体Ｄ２の長さをＬ１とすると、導体Ｄ１または導体Ｄ２の開放端部から０．３Ｌ１〜０．７Ｌ１の範囲に設けることが好ましい。
ここでいう導体Ｄ１，Ｄ２の導体の長さは、略コ字状の平行な部分の導体長さとその平行な部分の導体を接続する部分の導体の長さの合計の長さである。
この励振点が、開放端部から０．３Ｌ１未満あるいは０．７Ｌ１を越えた範囲では、アンテナの損失が大きく、実用的でない。
【００１０】
コンデンサＣ１、Ｃ２には、トリマコンデンサを用いることができ、調整を行う上で好ましい。
【００１１】
この導体Ｄ１と導体Ｄ２とは、一平面内に設けるだけでなく、空間的に平行となるように設けることもできる。
【００１２】
このようなアンテナは、具体的には、一般に配線板用に使用される絶縁基板上に、コ字状の導体Ｄ１と、それに平行な導体Ｄ２を設け、それぞれの開放端部において、それぞれコンデンサＣ１及びＣ２によって接続し、導体Ｄ１またはＤ２に励振点を設けて作製することができ、さらに詳しくは、印刷配線板用銅張り積層板の導体として必要な箇所以外をエッチング除去する、一般の配線板の製造法を用いることによって作製することができる。
このようにして作製したアンテナを、送受信機の筐体の一平面と平行に取り付ければ、狭い箇所へアンテナを取り付けることができ、機器の小型化を行うことができる。
【００１３】
また、これらのアンテナは、送受信機の筐体の一平面と平行に取り付け、筐体によってカバーすることもでき、アンテナを絶縁保護することができ、好ましい。
【００１４】
この他にも、通常のアンテナと同様に、アンテナ用コネクタに直接取り付けることもでき、また、別の箇所に接地したアンテナとケーブルを用いて接続することも可能である。
【００１５】
本発明者らは、鋭意検討の結果、以下のような知見により、本発明をなしたものである。
すなわち、「従来の技術」で述べた本発明者らの提案したアンテナは、図５（ｂ）に示すような特性であり、これを図４（ａ）に示すように、複同調回路とすることによって、図４（ｂ）に示すように、広い帯域を得られるのではないか、と考えたのである。
そこで、導体Ｄ１とコンデンサＣ１からなる部分と、導体Ｄ２とコンデンサＣ２からなる部分を、どのように配置すれば、小型で、しかも帯域の広いアンテナとすることができるかを、様々なサンプルを作製し、測定した結果、上記のアンテナの構造を得られたものである。
【００１６】
【実施例】
実施例１
図１に示すように、ガラス布エポキシ樹脂を用いた片面銅張り積層板の銅箔の不要な箇所を、通常の配線板の製造に用いる方法で、エッチング除去し、使用中心周波数を５００ＭＨｚ（波長：６０ｃｍ）において、幅１ｍｍ、長さが４５ｍｍ、平行な導体の間隔が２ｍｍである略コ字状の導体Ｄ１と、その導体Ｄ１と同じ大きさで、その導体Ｄ１の長辺に平行な長辺を有する導体Ｄ２とを有し、それぞれの開放端において、容量が３〜１５ｐＦのトリマコンデンサＣ１及びＣ２を接続し、導体Ｄ１に励振点を設けたアンテナを作製した。
このときの励振点は、導体Ｄ１の接続部の端部から４ｍｍ（開放端部Ａから１７ｍｍ、開放端部Ｂから２８ｍｍ）であった。
このアンテナの特性を図２に示す。
【００１７】
実施例２〜５
図２に示す、実施例１と同じ材料を用いて、同じ形状のアンテナを、Ｄ１の長辺とそれに平行な導体Ｄ２の長辺との間隔を、実施例１が２．５ｍｍであったところを、それぞれ、２ｍｍ、３ｍｍ、３．５ｍｍ、４ｍｍと変えたものを作製した。
【００１８】
実施例２〜５のアンテナの特性を図３（ａ）〜（ｄ）に示す。
この図から理解できるように、本実施例のアンテナ、導体Ｄ１の長辺とそれに平行な導体Ｄ２の長辺の間隔ｄを調整することによって、帯域幅の異なるアンテナを作製することができる。
【００１９】
【発明の効果】
以上に説明したように、本発明によって、小型化に優れ、かつ周波数と最適な励振点を容易に調整できるアンテナと、そのアンテナを用いた送受信装置を提供することができる。
【図面の簡単な説明】
【図１】本発明の一実施例を示す平面図である。
【図２】本発明の一実施例の特性を示す線図である。
【図３】（ａ）〜（ｄ）は、それぞれ本発明の他の実施例の特性を示す線図である。
【図４】本発明の原理を説明するための回路図と線図である。
【図５】（ａ）は、従来例を説明するための平面図であり、（ｂ）及び（ｃ）は従来例のアンテナの特性を説明するための線図である。
【符号の説明】
Ｄ１，Ｄ２，ｄ１，ｄ２．導体
Ｃ１，Ｃ２，ｃ１，ｃ２．コンデンサ
【図１】
0003741237.tif 000002
【図２】
0003741237.tif 000003
【図３】
0003741237.tif 000004
【図４】
0003741237.tif 000005
【図５】
0003741237.tif 000006